(57)【要約】      （修正有）【課題】プラスチックの利用は極力抑えられる形状にし、磨き剤やコップや水を一切使用せず、肩や肘の駆動を控え手の指先動作だけで楽しく何時でも何処でも自在な姿勢で使え経済的にも優れる歯ブラシを提供する。【解決手段】ブラシ毛が在るブラシ部品と着脱する柄９のハンドル部品で構成し、ブラシ部品は、平面中央部に平面から底面に抜ける凹凸孔を設け、凹凸孔を取り巻くブラシ枠３上に、細く長い毛と短い毛を束ねた毛束１などを一順させるリング植毛４にし、ブラシ枠３正面と背面に凹凸溝を設けた。そして、ハンドル部品は、柄９の平面上先端部に小孔６を設け、小孔６の上に凹凸突起７と間を少し開けて支持突起８を設け、その先に伸ばした柄９の後方にストラップホール１０を設けた。そして、ブラシ部品の凹凸孔と正面か背面に在る凹凸溝を選び、ハンドル部品の凹凸突起７と支持突起８を其々与圧してはめ込んで成る歯ブラシを提供する。【選択図】図１
2016131867.tif 000002
【特許請求の範囲】
【請求項１】
歯ブラシを、ブラシ毛が在る消耗するブラシ部品と与圧して着脱する柄として設けた消耗しないハンドル部品で構成し、ブラシ部品は、平面中央部に平面から底面に抜ける凹凸孔を設け、凹凸孔を取り巻くブラシ枠上に、細く長い毛と短い毛を束ねた毛束などを一順させるリング植毛にして、ブラシ枠正面と背面に凹凸溝を設け、ハンドル部品は、小孔を設けた柄の先端平面上に、小孔の上に凹凸突起、間を少し開けて支持突起を設け、その先に伸ばした柄の後方にストラップホールを設け、ブラシ部品の凹凸孔と正面か背面に在る凹凸溝を選び、ハンドル部品の凹凸突起と支持突起を其々与圧してはめ込んで成る歯ブラシ。
【発明の詳細な説明】
【技術分野】
【０００１】本発明は、省エネ、エコロジーに優れ、歯磨き効果に優れるシンプルな歯ブラシに関する。
【背景技術】
【０００２】  従来の一般家庭用プラスチック製の歯ブラシの大半は、大型でブラシ面は隙間が無いほど毛束が密に植毛され、柄は太く長く丈夫に作られ、柄を鷲掴みに握りブラシ束を歯面に当て、肩や肘を動かしてゴシゴシと束子で歯面を押さえ力を入れて擦過するのに適し、毛束の先を歯間や歯周に当て細かく丁寧に磨く事よりも大雑把に磨く習慣が定着し、朝夕の挨拶代わりに使う小道具化して、歯を守る大切な用具である事が疎んじられていて、歯ブラシの良し悪しや、使い方に良し悪しについて疑問や関心を持たない人々が大多数であり、代々伝承された作法と信じ、使い慣れた歯ブラシは普及している。
【先行技術文献】
【非特許文献】
【０００３】  本発明出願者は、歯ブラシに関わる出願を多数出願しています直近では受付番号２１４０２３９００１５等、甚だ浅学未熟であり、毎度ご迷惑な申請で迷惑をお掛けしています。本件を含めて専門の方々にお願いしていずれ補正するなど整理した書面の提出をいたすべきと考えています。
【発明の概要】
【発明が解決しようとする課題】
【０００４】  何故、百年以上も前から変わらぬ歯ブラシが支持されている原因は上記の如く、疑問や関心を持って従来歯ブラシに在る問題点を追求しないからであり、少し疑問を持って観ると、従来歯ブラシの殆どは使い捨てであり、プラスチック製であるから、省資源について疑問があり、大雑把で安直な歯磨き生活を振り返って観ると、従来歯ブラシでは歯の隙間や歯の生え際を磨きにくい、磨き難いと食物残渣や糖類がプラークに成り歯垢に成るから蝕まれ易い状態に成りやすい。
従来歯ブラシとその動作について研究してみると、重大な欠陥が従来歯ブラシにあり、その従来歯ブラシの使い方にも重大な欠陥が在った。其れは、洗面所において水と歯磨き剤とコップを揃え、コップに水を入れ、歯ブラシの先に歯磨き剤を着け太い柄を鷲掴みにして、ラジオ体操をするような気分で肩と肘の関節を動かし鼻歌交じりの数分間は鏡を見ながら歯の面を擦り、歯磨き剤に在る清涼剤や香料の香りが口腔に充満し爽快になり、口を濯ぎ、コップに歯ブラシを立てて終わっている。
その動作には一定のリズムが在り、歯磨きを軽んじて、大雑把なブラッシングを日常化させてしまっているから、歯の隙間に食物咀嚼残渣やプラークや歯垢が在る無しについての関心が欠落している。
従来歯ブラシが支持され続け、時に奨励されているが、国民の健康や歯科衛生問題に関わっている専門家の人々は、従来歯ブラシの構成とその使われ方について如何なる根拠により従来を認め奨励しておられるのか、理解し難い問題が在る。【０００５】  国民の歯科衛生状態が一向に改善されず、昨今、歯科医療を目指す開業医が急増中である現状と全国民が使用し続けている従来歯ブラシとその歯ブラシで磨く時の動作とは、切っても切れない関係に在るのに、従来歯ブラシを是として、製造販売は続けられ、医療関係者が黙認しているのは深刻な問題であると思う。【０００６】  本発明は、従来の構成が有していた上記の問題を解決しようとするものであり、プラスチックの利用は極力抑えられる形状にし、磨き剤やコップや水を一切使用せず、歯間や歯周に付着した食物咀嚼残渣やプラークをきめ細かく丁寧に無理なく除去することを主眼にし、肩や肘の駆動を控え手の指先動作だけで楽しく何時でも何処でも自在な姿勢で使え経済的にも優れる歯ブラシの提案をする。
【課題を解決するための手段】
【０００７】  そして、本発明は上記目的を達成するために、歯ブラシを消耗するブラシ部品と消耗しないハンドル部品に分けて設け、
そして、ブラシ部品は、主に弾性在るプラスチックを成形した素材を使い、ブラシ部品中央部に凹凸孔２を設け、凹凸孔２を囲むように在るブラシ枠３上に、毛束１を点々と一順だけリング植毛４し、ブラシ枠３の外正面と外背面に凹凸溝５を設け、毛束１の先が歯間や歯周に細かく深く進入し易くし、磨きたい箇所に在る歯を狙い歯の周囲から生え際を囲めるようにして歯の隙間に在る食物咀嚼残渣や糖類を捕らえ払えるよう構成し、
そして、ハンドル部品は、小孔６を設けた柄９の先端平面上の小孔６の上に凹凸突起７、間を少し開けて支持突起８を設けたその先に伸ばした柄９の後方にストラップホール１０を設けた構成にし、ブラシ部品を支え持つ柄９はブラシ部品よりも硬くて少し弾性もある素材の金属や骨材や木竹等やそれらを合成加工した耐性在る材質等を用いる、
そして、ハンドル部品の柄の先端部の凹凸突起７を前記ブラシ部品の凹凸孔２に合わせ、凹凸突起７に孔の有り無しに関わらず与圧合致させ、支持突起８をブラシ部品の正面か背面に在るいずれかの凹凸溝５を選び合致させることにより成る歯ブラシを提供する。
そして、ハンドル部品はシンプルであり、手作業で簡単に出来る物でも在るが、要と成るブラシ部品との着脱部位については重要な部品であるから、強く軽く丈夫で衛生的で正確な寸法が求められるので、ブラシを支えて口に含まれるところまでの間の部分は、高い精度が望まれるから、ハンドル部品の１部品として成形された部品の提供をするのが良いし、その先に繋ぐ柄９と切り離して設けるのが良い。
簡単に申せばハンドル部品とブラシ部品との関係は、着脱するフライパンと柄の関係に似た構成であるが、決して甘く考えてはならない大切な部品である。
そして、前記ブラシ部品の凹凸溝５にハンドル部品Ｂの支持突起８を若干の与圧を伴って嵌め、ブラシ部品Ａの凹凸孔２にハンドル部品Ｂの凹凸突起７を嵌めて歯ブラシに成り、装着を若干の引圧を伴って解いて其々は部品に戻る構成である。
そして、前記歯ブラシの、ブラシ部品は使用すると消耗するが、ハンドル部品は容易に消耗しない特徴があり、ハンドル部品は何処の何方でも木竹があれば数分の作業で作れるほどシンプルな構成であり、柄が短い歯ブラシにおいては、歯ブラシの先のブラシ毛をペンの先の如く心得、ペンホールダーに似せ、歯ブラシを利き腕の掌に置いた場合に、使用者の人差し指、中指、親指等が容易に柄９に触れ、柄９の底面、左右側面、平面等の回りに触れられ、柄９の背面も掌に触れる程度の掌サイズに収め、指先と掌の操作を主にした特徴在る歯ブラシであり、歯を自分の指先で磨く感覚に近く、歯ブラシのブラシ面と使う指先の微妙な一体感から確かなブラッシング効果が得られる。
また、柄９を長くした場合においては、腕関節、肘関節の動きが若干あるが手指の動作が主で、グリップする手指の角度などが変わるが、長くするメリットも十分在るし、長短いずれも特性あるし、本発明においての歯ブラシはブラシ部品を容易に歯ブラシから着脱できるから、ハンドル台部品を数種揃えると良い等の特徴がある。【０００８】  上記解決手段による作用は次の通りである。ブラシ部品の正面、背面のいずれかに在る凹凸溝５を選んでハンドル部品の支持突起８との着脱がワンタッチに等しい動作で出来るし、シンプルな構成にした本発明の歯ブラシの毛先は歯間や歯周の隙間に入りやすく、隙間に付着したプラークや食物咀嚼残渣等を掃いやすくなり、食物残渣を全て吸収嚥下しやすいし、磨き剤や湯水の使用をしなくて良いし、常時清潔に保て雑菌を寄せ付けないようにブラシ面を何時も目視できるし、歯を磨くときに無駄な動作をしないで効果的な指先操作により、容易にリング植毛３した毛先が、目指す歯の隙間などに入るから、無駄な動作をしないでポイントゲットが容易に行え、歯列面のブラッシングにおいても歯のエナメル質を傷つけないように細かく丁寧な歯磨きが行え、狭いテントやベッドの中、新聞テレビを見ながら、車を運転しながら、劇場や窮屈な所、散歩しながら、ゲームをしながら、飲食をしながら容易に歯磨きが出来る等、何時でも何処でも、咄嗟に湯水や歯磨き剤の使用をしないで行え、災害時に１本携行していれば助かる。
そして、従来歯ブラシの如く歯ブラシの柄を鷲掴みにして肩や肘を張り、洗面所でゴシゴシと擦る大雑把な歯磨きとは対照的に、軽い動作できめ細かく丁寧に楽しく使え、ブラシ部品は消耗するがハンドル部品は消耗しないので、省エネエコロジー効果も著しいし、無駄なく楽しくブラッシングが行えるし、歯科衛生状態を飛躍的に改善できて、使い始めると鏡に映して観たくなり、日に日に歯が美しくなり、スポーツ選手でなくても噛み切るパワーが全身に湧き出し、清涼感と共に漲る満足感が得られ従来歯ブラシと比較すると、著しく優れた作用が在る。
【発明の効果】
【０００９】  上述したように本発明の歯ブラシは、シンプルな構造でありながら、軽く指先を主に腕関節や肘関節を従に少し動かし、命を守るに等しい歯を守る道具として最も大切な要件を満たし、従来に無い省エネ、エコロジー化も果たしたから広く社会に裨益する著しい効果が在る。【００１０】  また、簡単な動作で歯ブラシを操作し、狙った歯に毛束の先を当てると、感覚が指先に伝わり指先が反射連動して操作するので、使い始めると歯の異常シグナルが即刻、脳に伝わるから、食物咀嚼残渣等が付着した部分を狙ったポイントブラッシングが自然に身について、歯が丈夫で健康であることの素晴らしさに目覚め、新しい歯磨き習慣が生まれて歯医者に依存する事が少なく成り、歯科衛生状態が日に日に好転し、欠かせない歯ブラシとなり、身近に無いと困る程の効果が現れる。
【図面の簡単な説明】
【００１１】
【図１】本発明リング歯ブラシＣの左右対称に現れるＡ−Ａ断面図
【図２】同歯ブラシの平面図
【図３】同歯ブラシの底面図
【図４】同歯ブラシのブラシ部品Ａの平面図
【図５】同歯ブラシのブラシ部品Ａの底面図
【図６】同歯ブラシのブラシ部品Ａの背面図
【図７】同歯ブラシのハンドル部品Ｂの平面図
【図８】同歯ブラシのハンドル部品Ｂの底面図
【図９】同歯ブラシのハンドル部品Ｂの正面図
【発明を実施するための形態】
【００１２】以下、本発明の実施の形態を図１〜図９に基づいて説明する。
【００１３】  図において、図１は、図２の歯ブラシ平面図Ａ−Ａ左右対称に表れる左側断面図であり、図４．５．６のブラシ部品の凹凸孔２と凹凸溝５に、図７．８．９のハンドル部品の凹凸突起７と支持突起８を嵌めてある。
【００１４】  図の歯ブラシ全体の長さや太さについて、ブラシ部品は量産に適したプラスチックが主に成るが、木竹製も若干あって良い、しかしブラシ部品との着脱の精度を期する必要が在るから弾性在るプラスチックの方がより多く用いるであろう。
そして、ハンドル部品においては、先端部の凹凸突起７と支持突起８の部分から口に触れる部分までは金属製にし、そこから伸ばす柄９は種々の素材を加工して繋ぐと良いが、手のひらに収まるサイズの場合は、金型を起した型のやや太いプラスチック製が良いであろうが、ニーズにより種々設けることが出来る。
また、凹凸突起７の中央部分からその底に抜ける孔が在るのもよいし、孔が無いのも良いし、底が塞がれたのでも良いし素材やデザインの都合など諸々勘案して採用するが良いし、柄９は素材の強度や使いやすさ等との関係を勘案して細くしたり厚くしたり勘案して採用するのが良い、ハンドル部品の先に在る支持突起８以下の部分の柄９において極端に短い物から長い物まで有るのが良いし、全体に大人用子供用等、サイズや実用的な意匠や美術工芸的な意匠の物や種々在り、材質やニーズにより細い物や太い物、ストラップホール１０にストラップを付けたブラシキャップやチェーンや大小のリングやアクセサリーを装置したのも良いし、リング植毛４される毛束１は先が細く長い毛と短く確りした毛を混ぜた束が中心に使われるが、歯茎をマッサージするのに役立つガーゼやスポンジなどをブラシ枠に貼着した趣を変えたブラシ部品もよいし、種々の素材を使い歯を鍛え支えるのも良いし、ニーズに合わせ種々異なる毛束１をブラシ枠に植毛するのも良いし、歯ブラシにおいては、出来る限り互換性在るようにし、種々の毛束１を交互にリング植毛４したブラシ部品が在るのも良いし、全体にシンプルな歯ブラシで在るから意匠を凝らし楽しい歯ブラシにするのが良い。
【００１５】  目的は歯の健康が第１であり、省エネエコロジー化であるが、身近に携行し易くし、咄嗟に使い易くし、柄に在る数個のストラップホール１０を上手に使い分け、何時でも何処でもフルシーズンにおいて歯が健康で楽しくなるお洒落道具として携行し楽しめ、使い易い次世代ファッションに沿った個性的で健康志向的なアイテム用品として、人前でも楽しく扱える歯ブラシに進化させることが可能であり、彫刻や漆塗り等の伝統工芸品として進化した歯ブラシとして楽しまれ皆さんから愛用されて、新しい歯ブラシ文化の魁に成って欲しいものである。
【００１６】  ブラシ面のリング植毛４により毛束１を少なくして、ブラシ面にゆとりの孔が在るから、巡る毛束で歯を囲みやすくなり、毛先が歯の隙間に入りやすい構成になったので、食物残渣や糖類やプラークを払い易くなり、歯磨き効果が判り易いし、掌に収まる程度に短くし、指先で歯ブラシの柄９を親指人差し指中指の先に添える程度で軽く細やかに丁寧に歯磨き操作ができるし、携行に便利で、ポイントに自分の指先を当てるように、磨きたい歯のポイントにブラシ先を当て、そのコントロールが誰にでも出来るから、きめ細かく念入りな歯磨き生活ができて楽しいし、柄９の長い歯ブラシにおいても、昔使われていたタバコ用の長いキセルを扱うように、気楽に会話しながら歯磨きを楽しめるから重宝する。
命と健康を守る為の道具である歯ブラシとして、誰もが何時でも何処でも咄嗟に使う生活習慣が定着すれば、歯の周りの清涼感がいつも体感できて、歯磨き回数も増え、歯科衛生状態は著しく改善される。
【００１７】
【符号の説明】
【００１８】１    毛束
２    凹凸孔
３    ブラシ枠
４    リング植毛
５    凹凸溝
６    小孔
７    凹凸突起
８    支持突起
９    柄
１０  ストラップホール
【図１】
2016131867.tif 000003
【図２】
2016131867.tif 000004
【図３】
2016131867.tif 000005
【図４】
2016131867.tif 000006
【図５】
2016131867.tif 000007
【図６】
2016131867.tif 000008
【図７】
2016131867.tif 000009
【図８】
2016131867.tif 000010
【図９】
2016131867.tif 000011